(57)【要約】【課題】尿が流れる位置の表面形状に関わらず、正確に尿温を測定することができる尿温測定装置、衛生洗浄装置、及び衛生機器を提供する。【解決手段】受け部が受ける尿及び水から放射される電磁波を受光し、受光した電磁波量に応じてパラメータを出力する受光部と、吐出部から吐出される水の温度を測定する測定部と、吐出部から水が吐出された際に受光部が出力する第一パラメータと測定部が測定した水の温度とに基づいて、第一パラメータと温度との関係式を生成する生成部と、受け部が受ける尿の温度を、尿により受光部が出力する第二パラメータと生成部が生成した関係式とに基づいて算出する算出部と、を有する。【選択図】  図３
2015210123.tif 000002
【特許請求の範囲】
【請求項１】
使用者が排泄した尿を受ける受け部を備える衛生機器に設置される尿温測定装置であって、
前記受け部に向かって水を吐出する吐出部と、
前記受け部が受ける前記尿及び前記水から放射される電磁波を受光し、受光した電磁波量に応じてパラメータを出力する受光部と、
前記吐出部から吐出される前記水の温度を測定する測定部と、
前記吐出部から前記水が吐出された際に前記受光部が出力する第一パラメータと前記測定部が測定した前記水の温度とに基づいて、前記第一パラメータと前記温度との関係式を生成する生成部と、
前記受け部が受ける前記尿の温度を、前記尿により前記受光部が出力する第二パラメータと前記生成部が生成した前記関係式とに基づいて算出する算出部と、
を有する尿温測定装置。
【請求項２】
前記吐出部から吐出される前記水を第一温度の第一水と前記第一温度より高い第二温度の第二水とに切り替える温度切替部と、を有し、
前記生成部は、前記第一水により前記受光部が出力する第一電圧値と、前記第二水により前記受光部が出力する第二電圧値と、を前記第一パラメータとし、
前記第一温度と、前記第二温度と、前記第一電圧値と、前記第二電圧値と、に基づいて、前記関係式を一次関数として生成する、
請求項１に記載の尿温測定装置。
【請求項３】
前記生成部は、前記吐出部に対して自動的に水を吐出させる、
請求項２に記載の尿温測定装置。
【請求項４】
人を検知する検知部をさらに有し、
前記生成部は、前記検知部が人を検知したとき、前記受け部が受ける前記水の関係式を生成する、
請求項１乃至３の何れか１項に記載の尿温測定装置。
【請求項５】
前記受光部が出力した前記第一パラメータを記憶する記憶部と、
前記受光部が出力した前記第一パラメータと前記記憶部に記憶された前回の前記第一パラメータとが一定値以上異なる値だった際に、報知を行う報知部と、を有する、
請求項１乃至４の何れか１項に記載の尿温測定装置。
【請求項６】
請求項１乃至５の何れか１項に記載の尿温測定装置を備え、
前記温度切替部は、前記吐出部から吐出される前記水の温度を変更させるためのヒーターであり、
前記吐出部は、上方に向かって水を吐出することが可能な洗浄ノズルである、
衛生洗浄装置。
【請求項７】
前記洗浄ノズルは、前記受け部に向かって前記水を吐出する第一吐出モードと、上方に向かって前記水を吐出する第二吐出モードと、を有し、
前記洗浄ノズルは、前記関係式を生成する際、前記洗浄ノズルを前記第一吐出モードにして前記水を吐出させる、
請求項６に記載の衛生洗浄装置。
【請求項８】
前記第一温度と前記第二温度の少なくともいずれか一つは、３５度から４２度である、
請求項６又は７に記載の衛生洗浄装置。
【請求項９】
請求項６乃至８の何れか１項に記載の衛生洗浄装置と、
前記受け部と、が設けられ、
前記洗浄ノズルは前記受け部に向かって進出する、
衛生機器。
【発明の詳細な説明】
【技術分野】
【０００１】
本発明は、使用者が排泄した尿の温度を測定する尿温測定装置、衛生洗浄装置、及び衛生機器に関する。
【背景技術】
【０００２】
従来、身体の温度である体温は体の健康状態を把握するための指標の一つとして用いられている。この体温測定方法として、体温計などを皮膚に接触させて身体表面部の体温を測定する方法があった。そして、個人での健康管理志向の高まりにつれ、この体温測定の必要性も増している。しかし、この体温計を用いての測定方法では、測り方によるばらつきが生じやすく、誰でもが簡易に正確な体温を測定するのが困難であった。また、正確に体温測定を行うために実測式の体温計を用いると、腋下検温で約１０分程、舌下検温で約６分程必要であり、測定に時間が掛かっていた。
【０００３】
一方、身体で生成される尿は体内で蓄積されるため、深部体温とも呼ばれ身体内部の体温を反映した温度となっている。この深部体温は前述した身体表面の温度である体温と比較すると、身体の健康状態をより忠実に表していることが知られてきている。したがって、排泄行為により体外に排泄された直後の尿の温度（以下、この排泄中の尿の温度を「尿温」ともいう）を測れば、この深部体温を推定することが可能であり、一般的な体温と比較してより正確な身体の健康情報が得られることになる。そのためには従来の体温測定精度以上の精度で容易に測定する方法が望まれている。
【０００４】
そこで、使用者の排泄中の尿温を尿と非接触で測定する尿温測定装置が種々提案されている。
【０００５】
このような尿温測定装置に備えられる温度計測手段としては、例えば、物体表面からその温度に応じて放射される赤外線を受光して受光量に比例した電気出力を得る電気的素子を用いて、物体の温度を非接触で計測できるようにした放射赤外線検知式温度計測手段（以下、この放射赤外線検知式温度計測手段を「放射温度計測手段」ともいう。）がある。この放射温度計測手段による尿温測定装置によれば、尿温の測定に必要な時間は、尿の排泄時間、即ち約３０秒程であり、一般的な実測式の体温計による体温測定時間と比べ、短い。
【０００６】
このような放射温度計測手段を用いた尿温測定装置として、例えば、小便器の天井面にこの放射温度計測手段を設け、計測領域を通過する尿から放射される赤外線を受光して尿の温度測定を行うようにした非接触式の尿温測定装置が知られている（特許文献１）。
【０００７】
この従来技術の尿温測定装置においては、尿温を正確に測定するために、小便器において、尿が接触しない位置に校正用便器温度設定センサを設け、放射温度計測手段の測定値と校正用便器温度設定センサの測定値との間に生じている測定値のずれを補正できるものである。
【先行技術文献】
【特許文献】
【０００８】
【特許文献１】特開平４−２０３１２９号公報
【発明の開示】
【発明が解決しようとする課題】
【０００９】
しかし、尿などの液体は、流れる位置の表面形状によって、その液体の流れ形状が異なるため、尿が流れる位置の表面形状によって、尿から放射される赤外線の放射量が異なる。このため、放射温度計測手段においても、尿から放射される赤外線の受光量が異なる。よって、この従来技術の尿温測定装置においても、尿温測定の精度は十分でなく、改善の余地がある。
【００１０】
そこで、本発明は、上述した課題を解決するためになされたものであり、尿が流れる位置の表面形状に関わらず、正確に尿温を測定することができる尿温測定装置、衛生洗浄装置、及び衛生機器を提供することを目的としている。
【課題を解決するための手段】
【００１１】
上述した目的を達成するために、本発明の尿温測定装置は、使用者が排泄した尿を受ける受け部を備える衛生機器に設置される尿温測定装置であって、前記受け部に向かって水を吐出する吐出部と、前記受け部が受ける前記尿及び前記水から放射される電磁波を受光し、受光した電磁波量に応じてパラメータを出力する受光部と、前記吐出部から吐出される前記水の温度を測定する測定部と、前記吐出部から前記水が吐出された際に前記受光部が出力する第一パラメータと前記測定部が測定した前記水の温度とに基づいて、前記第一パラメータと前記温度との関係式を生成する生成部と、前記受け部が受ける前記尿の温度を、前記尿により前記受光部が出力する第二パラメータと前記生成部が生成した前記関係式とに基づいて算出する算出部と、を有することを特徴としている。
【００１２】
このように構成された本発明においては、尿温測定装置が受け部に設置された後、水が吐出された際に、生成部により、受け部に当たった水の電磁波量に応じて第一パラメータが出力されるため、算出部は、尿温測定装置が設置される受け部の形状等設置環境に応じた関係式に基づいて尿温を算出することができ、尿が流れる位置の表面形状に関わらず、正確に尿温を算出することができる。
【００１３】
本発明において、好ましくは、前記吐出部から吐出される前記水を第一温度の第一水と前記第一温度より高い第二温度の第二水とに切り替える温度切替部と、を有し、前記生成部は、前記第一水により前記受光部が出力する第一電圧値と、前記第二水により前記受光部が出力する第二電圧値と、を前記第一パラメータとし、前記第一温度と、前記第二温度と、前記第一電圧値と、前記第二電圧値と、に基づいて、前記関係式を一次関数として生成するように構成されている。
【００１４】
このように構成された本発明においては、尿温測定のための関係式を一次関数として生成することができ、単純な式によって尿温を測定することができる。
【００１５】
本発明において、好ましくは、前記生成部は、前記吐出部に対して自動的に水を吐出させる
【００１６】
このように構成された本発明においては、生成部は吐出部に対して自動的に水を吐出させるように構成されているため、第一パラメータと温度との関係式を生成する際に、使用者や管理者に操作させなくて済む。
【００１７】
本発明において、好ましくは、人を検知する検知部をさらに有し、前記生成部は、前記検知部が人を検知したとき、前記受け部が受ける前記水の関係式を生成するように構成されている。
【００１８】
このように構成された本発明においては、尿温を算出する直前に尿温測定のための関係式を生成することができ、より正確に尿温を算出することができる。
【００１９】
本発明において、好ましくは、前記受光部が出力した前記第一パラメータを記憶する記憶部と、前記受光部が出力した前記第一パラメータと前記記憶部に記憶された前回の前記第一パラメータとが一定値以上異なる値だった際に、報知を行う報知部と、を有するように構成されている。
【００２０】
このように構成された本発明においては、受光部が出力した第一パラメータと記憶部に記憶された前回の第一パラメータとが一定値以上異なる値だった際に、報知が行われるため、受光部に汚れが付着したときの尿温の誤検知を防ぐことができる。
【００２１】
本発明において、好ましくは、上述した尿温測定装置を備えた衛生洗浄装置であり、前記温度切替部は、前記吐出部から吐出される前記水の温度を変更させるためのヒーターであり、前記吐出部は、上方に向かって水を吐出することが可能な洗浄ノズルである衛生洗浄装置である。
【００２２】
このように構成された本発明においては、尿温測定装置は衛生洗浄装置に設けられているため、衛生洗浄装置に設けられた洗浄ノズル及びヒーターを利用して尿温測定のための関係式を生成することができる。
【００２３】
本発明において、好ましくは、前記洗浄ノズルは、前記受け部に向かって前記水を吐出する第一吐出モードと、上方に向かって前記水を吐出する第二吐出モードと、を有し、前記洗浄ノズルは、前記関係式を生成する際、前記洗浄ノズルを前記第一吐出モードにして前記水を吐出させるように構成されている。
【００２４】
このように構成された本発明においては、１つの洗浄ノズルによって上方に水を吐出させて人体洗浄するとともに、受け部に向かって水を吐出させて尿温測定のための関係式を生成することができるため、尿温測定のための吐出部を新たに設ける必要がない。
【００２５】
本発明において、好ましくは、前記第一温度と前記第二温度の少なくともいずれか一つは、３５度から４２度であるように構成されている。
【００２６】
このように構成された本発明においては、尿温に近い温度を用いて水の関係式を生成することができ、より正確に尿温を算出することができる。
【００２７】
本発明において、好ましくは、上述した衛生洗浄装置と、前記受け部と、が設けられ、前記洗浄ノズルは前記受け部に向かって進出する衛生機器である。
【００２８】
このように構成された本発明においては、衛生洗浄装置は、衛生洗浄装置の下方に受け部を備える衛生機器に設けられているため、使用者が日常的に行う排泄動作の中で、尿温測定を行うことができる。
【発明の効果】
【００２９】
本発明によれば、尿が流れる位置の表面形状に関わらず、正確に尿温を測定することができる尿温測定装置、衛生洗浄装置、及び衛生機器を提供することができる。
【図面の簡単な説明】
【００３０】
【図１】本実施形態に係る尿温測定装置を備えた衛生洗浄装置、及びそれを備えた洋風大便器の全体構成を示す側面図である。
【図２】図１における衛生洗浄装置の構成を示すブロック図である。
【図３】図１の衛生洗浄装置における平面図である。
【図４】図３の受光部における洗浄ノズルから吐出された水からの赤外線の検知動作を表す概略図である。
【図５】図１の尿温測定装置における受光部が出力する電圧値と水の温度との関係式の生成動作を示すフローチャートである。
【図６】図５の尿温測定装置における受光部が出力する電圧値と水の温度との関係式を示すグラフである。
【図７】図１の尿温測定装置における尿温測定動作を示すフローチャートである。
【発明を実施するための形態】
【００３１】
以下、本発明の実施形態による尿温測定装置について、図面を参照しながら具体的に説明する。
【００３２】
（尿温測定装置の全体構成について）
図１は、本実施形態に係る尿温測定装置を備えた衛生洗浄装置、及びそれを備えた洋風大便器の全体構成を示す側面図であり、図２は、図１の衛生洗浄装置の構成を示すブロック図である。以下これらの図を用いて、まず本実施形態における尿温測定装置１の概要を説明する。
【００３３】
本実施形態における尿温測定装置１は、使用者が排泄した尿を受ける受け部としてのボウル部２が形成された洋式大便器４の上に載置された衛生洗浄装置（装置本体部）６の内部に設けられている。この衛生洗浄装置６が設置された洋式大便器４が設けられたトイレブースの側壁面には、衛生洗浄装置６の操作を行うためのリモコン装置８が取り付けられている。
【００３４】
図３に示すように、ボウル部２の形状は洋式大便器４によって個体差があるが、例えばボウル部２は上面視において前方が狭いたまご形状に形成されており、ボウル部２の底には溜水が溜まっている。また、図示しないものの、ボウル部２の全周は、側面断面視において、ボウル部２の底に向かって狭くなるように斜め下方に傾斜している。また、リモコン装置８は、局部洗浄機能や便器洗浄機能などについても操作することができるリモコン操作部８ａと、液晶表示装置からなるリモコン表示部８ｂと、を備えている。
【００３５】
こうして、本実施形態における衛生洗浄装置（装置本体部）は、尿温測定装置１によって、使用者が洋式大便器４に着座した状態で排泄した尿の温度、即ち尿温を測定し、測定した結果得られる尿温をリモコン表示部８ｂに表示して、使用者に知らせることができる。また、リモコン操作部８ａを操作することによって、ボウル部２の洗浄や排泄後の使用者の局部の洗浄、局部の乾燥を行うこともできるようになっている。
【００３６】
図２に示すように、衛生洗浄装置６は、その内部において、衛生洗浄装置６が設置された洋式大便器４の前方側に向かってマイクロ波を放射し、反射したマイクロ波を受光することで、トイレブース内の人の有無を検知する検知部１０と、ボウル部２に向かって水を吐出する吐出部としての洗浄ノズル１２と、洗浄ノズル１２から吐出される水の温度を測定する測定部１４と、使用者が排泄した尿からの赤外線を受光し、受光した赤外線量に応じて第一パラメータである電圧値を出力する受光部１６と、を備えている。なお、検知部１０は、放射したマイクロ波と対象物の移動によるドップラー現象によってシフトした反射後のマイクロ波の周波数とを比較し、その差分の周波数に相当する信号を出力するドップラーセンサであるが、それに限らず、測距式センサや、焦電式センサであっても良い。
【００３７】
また、衛生洗浄装置６は、その内部において、洗浄ノズル１２から水が吐出された際に受光部１６が出力する電圧値と測定部１４が測定した水の温度とに基づいて、電圧と温度の関係式（以下、「電圧−温度関係式」と呼ぶ）を生成する生成部１８と、ボウル部２が受ける尿の温度を生成部１８が生成した電圧−温度関係式とに基づいて算出する算出部２０と、受光部１６が出力した電圧値を記憶する記憶部２２と、受光部１６が出力した電圧値と記憶部２２に記憶されている電圧値とが一定値以上異なる値だった際に報知を行う報知部２４とを備えている。なお、生成部１８、算出部２０、及び記憶部２２は、１つのマイコン２６によって構成されており、それぞれが相互にデータのやりとりを行うことができるものである。
これらの詳細な機能は、後に詳述する。
【００３８】
（受光部が出力する電圧値と水の温度との関係式の生成動作について）
図３は、図１の衛生洗浄装置における平面図であり、図４は、図３の受光部における洗浄ノズルから吐出された水からの赤外線の検知動作を表す概略図である。
【００３９】
図３に示すように、洗浄ノズル１２は、例えば洋風大便器４の前方からみて、洋風大便器４の中心線Ｏ上に位置しており、受光部１６は洗浄ノズル１２の右側に位置しており、検知部１０は洗浄ノズル１２の左側に位置している。ただ、本実施携帯はそれに限らず、尿温測定装置１の衛生洗浄装置６内のどこに設けられても良い。
【００４０】
洗浄ノズル１２には、便器用吐水孔１２ａと、局部用吐水孔１２ｂとが設けられている。洗浄ノズル１２は、この便器用吐水孔１２ａから洋式大便器４のボウル２に向かって給水源１００からの水を吐出し（第一吐出モード）、局部用吐水孔１２ｂから上方に向かって水を吐出することで使用者の局部を洗浄する（第二吐出モード）。また、洗浄ノズル１２の内部に設けられた流路を変更することによって、これらの吐水孔を切り替えることができる。これらの切り替えは、リモコン装置８ａを操作することによって行うことができる。さらに、衛生洗浄装置６において、洗浄ノズル１２と給水源１００との間の流路には、温度切替部であるヒーター１３が設けられており、洗浄ノズル１２から吐出される水の温度を設定温度に変更できる。なお、温度切替部はヒーターに限らず、温度の異なる水を混合させる混合弁など、流路を流れる水の温度を何らかの形で変更できる機構であれば良い。
【００４１】
洗浄ノズル１２には測定部１４が接続されており、測定部１４によって、洗浄ノズル１２から吐出される水の温度を測定することができる。測定部１４はサーミスタを含んだ回路で構成されており、水の温度を測定するものである。
【００４２】
図３に示すように、受光部１６は、ボウル部２のある一定範囲の領域（以下、この一定範囲の領域を「赤外線受光領域Ａ」と呼ぶ）から放射される赤外線量を検知し、その検知された赤外線量に応じて、電圧値を出力する。この赤外線受光領域Ａは、図３に示すように、ボウル部２の前方側であって、ボウル部２に溜まった溜水に接触しない領域に位置する。より具体的には、赤外線受光領域Ａが略円形であることを前提とすると、赤外線受光領域Ａの中心点は、例えば中心線Ｏ上に位置している。
【００４３】
即ち、図４に示すように、受光部１６は、入射してきた赤外線を集光するレンズ１６ａと、レンズ１６ａによって集光された赤外線を受光し、受光した赤外線量に応じて電圧値を出力するサーモパイル素子１６ｂと、レンズ１６ａとサーモパイル素子１６ｂとを覆うことで、レンズ１６ａによって集光された赤外線をサーモパイル素子１６ｂへ漏れなく入射させるための鏡筒１６ｃと、サーモパイル素子１６ｂによって出力された電圧値を増幅する増幅回路１６ｄと、増幅された電圧値を、一定の閾値毎にデジタル変換するＡ/Ｄ変換器１６ｅと、からなる。
【００４４】
図５は、図１の尿温測定装置における受光部が出力する電圧値と水の温度との関係式の生成動作を示すフローチャートである。
【００４５】
検知部１０が、使用者を検知すると（Ｓ１００）、生成部１８は、吐水温度を低温設定、即ち第一温度Ｔ１に設定させ（Ｓ１０１）、洗浄ノズル１２の便器用吐水孔１２ａから赤外線受光領域Ａに向かって水を吐水させる（Ｓ１０２）。本実施形態において、第一温度Ｔ１は例えば３７度である。
【００４６】
生成部１８は、便器用吐水孔１２ａから吐出される水によって、測定部１４が出力した温度Ｔ１´と、便器用吐水孔１２ａから吐出された水から放射される赤外線によって、受光部１６が出力した電圧値Ｖ１と、を取得し（Ｓ１０３）、記憶部２２に記憶させる。その後、洗浄ノズル１２からの水の吐出を停止させる（Ｓ１０４）。
【００４７】
次に、生成部１８は、吐水温度を高温設定、即ち第二温度Ｔ２に設定させ（Ｓ１０５）、洗浄ノズル１２の便器用吐水孔１２ａから赤外線受光領域Ａに向かって水を吐水させる（Ｓ１０６）。ここで、第二温度Ｔ２は第一温度Ｔ１より高温であり、本実施形態において、第二温度Ｔ２は例えば４２度である。
【００４８】
生成部１８は、便器用吐水孔１２ａから吐出される水によって、測定部１４が出力した電圧値Ｔ２´と、便器用吐水孔１２ａから吐出された水から放射される赤外線によって、受光部１６が出力した電圧値Ｖ２と、を取得し（Ｓ１０７）、記憶部２２に記憶させる。その後、洗浄ノズル１２からの水の吐出を停止させる（Ｓ１０８）。
【００４９】
その後、生成部１８は、便器用吐水孔１２ａから低温吐水を行った際に取得した温度Ｔ１´及び電圧値Ｖ１と、便器用吐水孔１２ａから高温吐水を行った際に取得した温度Ｔ２´及び電圧値Ｖ２とによって、電圧―温度関係式の生成を行う（Ｓ１０９）。具体的には、図６で示すように、温度―電圧グラフにおける座標（Ｔ１´、Ｖ１）、（Ｔ２´、Ｖ２）を満たす温度Ｔと電圧Ｖとの一次関数式を算出する。図６において、縦軸が水の温度であり、横軸が電圧である。座標（Ｔ１´、Ｖ１）、（Ｔ２´、Ｖ２）を満たす温度Ｔと電圧Ｖとの一次関数式、即ち電圧―温度関係式は、以下に示す通りである。
【００５０】
【数１】
2015210123.tif 000003
【００５１】
受光部１６が出力する電圧値と水の温度との関係式の生成動作は、検知部１０が使用者を検知する度に行われ、その際、記憶部２２は、受光部１６が出力した電圧値を記憶する。記憶部２２は、過去の受光部１６が出力した電圧値を一定数まで記憶し、その後、記憶された電圧値のうち古いものから順に消去していく。受光部１６が出力した電圧値が、記憶部２２によって記憶された前回の受光部１６が出力した電圧値と例えば±１０％以上異なる場合、報知部２４は、受光部１６のレンズ１６ａなどに汚れが付着していると判断し、電子音などを発生させる。その結果、使用者は、受光部１６の清掃の必要性を認識することができる。
【００５２】
（本実施形態における尿温測定装置による尿温測定動作について）
図７は、図１の尿温測定装置における尿温測定動作を示すフローチャートである。
【００５３】
使用者が尿を排泄している際に、リモコン操作部８ａに設けられた尿温測定開始スイッチ（図示せず）を押すことで（Ｓ２００）、受光部１６はボウル部２内に位置する赤外線受光領域Ａにおける赤外線検知動作を開始し、この赤外線受光領域Ａに向かって排泄された尿から放射される赤外線を検知することで、そのときの赤外線量に応じた電圧値Ｖ３を取得する（Ｓ２０１）。
【００５４】
算出部２０は、得られた電圧値Ｖ３を、生成部が生成した電圧―温度関係式に当てはめることで、そのときの尿温を算出する（Ｓ２０２）。その後、算出された尿温をリモコン表示部８ｂに表示することで、使用者に尿温を知らせることができる（Ｓ２０３）。
【００５５】
本実施形態において、尿温測定装置１の受光部１６は、サーモパイル素子１６ｂによって、受光した赤外線量に応じた電圧値を出力するものである。サーモパイル素子１６ｂは、サーモパイル素子１６ｂ自身の温度と測定物の赤外線量、即ち温度との差に応じた電圧を発生するものであり、サーモパイル素子１６ｂ自身の温度が変化してしまうと、同じ赤外線量を受光しても、出力する電圧値が異なってしまう。つまり、尿温測定装置１が設けられたトイレブースの温度によって、出力する電圧値が異なってしまう。しかし、本発明の尿温測定装置１においては、尿温測定装置１及び洋式大便器４の工場出荷前に電圧―温度関係式を生成するものでなく、工場出荷後、即ち現場への施工後に電圧―温度関係式を生成できるものであるため、受光部１６にサーモパイル素子１６ｂなどを使用しても、季節や現場の環境に応じた電圧―温度関係式を生成でき、正確に尿温を測定することができる。
【００５６】
また、上述した通り、本発明の尿温測定装置１は、尿温測定装置１及び洋式大便器４の工場出荷後、即ち現場への施工後に電圧―温度関係式を生成できるものであるため、工場にて電圧―温度関係式の生成動作を行う必要がなく、出荷作業の納期を短縮でき、さらに電圧―温度関係式の生成動作を行う作業員が必要なく、尿温測定装置１の製造コストをダウンさせることができる。
【００５７】
以上より、本発明においては、尿温測定装置１が設けられた衛生洗浄装置６が、洋風大便器４の受け部であるボウル部２に設置された後、水が吐出された際に、生成部１８により、ボウル部２に当たった水の電磁波量に応じて第一パラメータが出力されるため、算出部２０は、衛生洗浄装置６が設置されるボウル部２の形状等設置環境に応じた関係式に基づいて尿温を算出することができ、尿の流れ形状に関わらず、正確に尿温を算出することができる。
【００５８】
また、本発明においては、尿温測定装置１は、洋風大便器４の受け部であるボウル部２のみの赤外線量を計測しているものではなく、吐出部である洗浄ノズル１２から吐出された水の赤外線量を計測し、電圧―温度関係式を生成するものである。電圧―温度関係式を生成するためには、測定物の温度を２点計測する必要があるため、洋風大便器４のボウル部２のみの赤外線量を計測する方法だと、ボウル部２の温度、即ち洋風大便器４が設けられたトイレブースの温度を変化させる必要があり、これを実行することは難しい。しかし、本発明である、洗浄ノズル１２から吐出された水の赤外線量を計測する方法だと、吐出された水の温度を変化させるだけで容易に２点計測を実行することができ、簡単に電圧―温度関係式を生成することができる。
【００５９】
（変形例について）
以上、本願の開示する技術の実施形態について説明したが、本願の開示する技術は、上記に限定されるものではない。
【００６０】
例えば、本実施形態において、尿温測定装置１が設けられた衛生洗浄装置６は洋式大便器４に載置されるものであったが、それに限らず、洋式大便器４の内部に組み込まれても良い。また、洋風大便器に限らず、小便器などその他の衛生機器に設置されても良い。
【００６１】
本実施形態において、尿温測定装置１の受光部１６の受光領域である赤外線受光領域Ａは、ボウル部２の前方側であって、ボウル部２に溜まった溜水に接触しない領域に位置するものであったが、それに限らず、ボウル部２の内側面であって、ボウル部２に溜まった溜水に接触しない領域に位置するものであれば良い。ただ、使用者が洋式大便器４に向かって排泄された尿は、ボウル部２に溜まった溜水に当たって、当該尿の飛散を抑制するためにボウル部２の前方側に放出されることが多いため、赤外線受光領域Ａは、ボウル部２の前方側であって、ボウル部２に溜まった溜水に接触しない領域に位置するものであることが好ましい。
【００６２】
本実施形態において、洗浄ノズル１２には局部用吐水孔１２ｂの他に便器用吐水孔１２ａを設けられており、便器用吐水孔１２ａから吐出される水を用いて電圧―温度関係式の生成を行うものであったが、局部用吐水孔１２ｂから吐出される水を用いて電圧―温度関係式の生成を行うものであっても良い。その場合、局部用吐水孔１２ｂから吐出される水の流速を調整することで、受光部１６の受光領域である赤外線受光領域Ａに水を当てる。また、その場合、洗浄ノズル１２に便器用吐水孔１２ａを設けなくとも良い。
【００６３】
本実施形態において、尿温測定装置１の吐出部は洗浄ノズル１２として説明したが、洋式大便器４に設けられ、洋式大便器４を洗浄する吐水口であっても良い。その場合、吐水口から吐出され、洋式大便器４を洗浄する洗浄水を利用することで、電圧―温度関係式の生成を行う。
【００６４】
本実施形態において、尿温測定装置１の生成部１８は、洗浄ノズル１２から吐出される水の第一温度Ｔ１を３７度、第二温度Ｔ２を４２度に設定したが、それに限らず、第二温度Ｔ２が第一温度Ｔ１より高温であれば良い。ただ、第一温度Ｔ１及び第二温度Ｔ２は、体温に近い値の方がより正確に電圧―温度関係式を生成できるため、第一温度Ｔ１と第二温度Ｔ２の少なくともいずれかは、３５度から４２度の間に設定することが好ましく、また、第一温度Ｔ１及び第二温度Ｔ２の両方を、３５度から４２度の間に設定することがさらに好ましい。また、本実施形態において、第一温度Ｔ１に設定された水を第二温度Ｔ２に設定された水より先に吐出したが、吐出する順序を逆に設定しても良い。即ち、第二温度Ｔ２に設定された水を第一温度Ｔ１に設定された水より先に吐出しても、同様の電圧―温度関係式を生成できる。ただし、第一温度Ｔ１より高温である第二温度Ｔ２に設定された水の方が、第一温度Ｔ１に設定された水より設定温度まで暖めるために時間が掛かるため、第一温度Ｔ１に設定された水を第二温度Ｔ２に設定された水より先に吐出する方が好ましい。このような構成とすることで、第一温度Ｔ１に設定された水を吐出している間を利用して第二温度Ｔ２に設定された水を設定温度まで暖めることができるため、効率的である。
【００６５】
また、季節によって洗浄ノズル１２から第二温度Ｔ２に設定された水を吐出する吐出時間を変更しても良い。このような構成とすることで、例えば冬（一日の日最低気温が0℃以下の日、又は１０、１１、１２、１、２、３月）の時期においては、その他の季節より洗浄ノズル１２から吐出される水を設定温度まで暖めるために時間が掛かるため、第二温度Ｔ２に設定された水の吐出時間を夏に設定された水の吐出時間よりも長くすることで、第二温度Ｔ２に設定された水を設定温度まで暖めるための時間を得ることができる。
【００６６】
本実施形態において、尿温測定装置１の生成部１８は、一次関数である電圧―温度関係式を生成するものであったが、電圧―温度関係式は二次関数などその他の関数で定義されても良い。
【００６７】
本実施形態において、尿温測定装置１の生成部１８は、検知部１０が使用者を検知した際に自動で電圧―温度関係式の生成動作を行うものであったが、リモコン装置８のリモコン操作部８ａに電圧―温度関係式の生成動作用のスイッチを設け、このスイッチをトリガーに電圧―温度関係式の生成動作を行うものであっても良い。また、リモコン操作部８ａを操作することで、指定時刻に電圧―温度関係式の生成動作を自動的に行うよう設定しても良い。
【００６８】
本実施形態において、尿温測定装置１の受光部１６は、リモコン操作部８ａに設けられた尿温測定開始スイッチを押すことでボウル部２内に位置する赤外線受光領域Ａにおける赤外線検知動作を開始するものであったが、それに限らず、使用者の洋風大便器４への着座を検知する着座検知部を新たに設け、着座検知部が使用者の着座を検知した際に、自動的に赤外線検知動作を開始するものであっても良い。
【００６９】
本実施形態において、尿温測定装置１の報知部２４は、受光部１６が出力した電圧値が、記憶部２２によって記憶された前回の受光部１６が出力した電圧値と±１０％以上異なる場合、電子音などを発生させるものであったが、それに限らず、生成部１８が、記憶部２２が今まで記憶した電圧値の平均値を算出し、受光部１６が出力した電圧値が、この算出した平均値から一定値以上異なる値だった場合に、報知部２４が報知を行うものであっても良い。また、報知部２４の報知方法は電子音の発生に限らず、リモコン装置８のリモコン表示部８ｂに清掃マークなどを表示させたり、光を発する発光部を新たに設け、点滅表示などを行っても良い。
【００７０】
本実施形態において、衛生洗浄装置６の各種制御は尿温測定装置１のマイコン２６である生成部１８が行ったが、それに限らず、衛生洗浄装置６に設けられた制御回路が行うものであればよい。
【００７１】
本実施形態においては、尿温測定装置１の受光部１６は水または尿から放射される赤外線を受光すると説明したが、洋式大便器４のボウル部２からも赤外線が放射されていることから、受光部１６はこのボウル部２から放射される赤外線も加味して電圧値を出力してもよい。なお、受光部１６が出力するパラメータとしては、電圧値以外であってもよく、例えば電流値であっても良い。
【符号の説明】
【００７２】
１      尿温測定装置
２      ボウル部（受け部）
４      洋式大便器
６      衛生洗浄装置（装置本体部）
８      リモコン装置
８ａ      リモコン操作部
８ｂ      リモコン表示部
１０      検知部
１２      洗浄ノズル（吐出部）
１２ａ      便器用吐水孔
１２ｂ      局部用吐水孔
１３      ヒーター（温度切替部）
１４      測定部
１６      受光部
１６ａ      レンズ
１６ｂ      サーモパイル素子
１６ｃ      鏡筒
１６ｄ      増幅回路
１６ｅ      Ａ/Ｄ変換器
１８      生成部
２０      算出部
２２      記憶部
２４      報知部
２６      マイコン
１００      給水源
【図２】
2015210123.tif 000004
【図５】
2015210123.tif 000005
【図７】
2015210123.tif 000006
【図１】
2015210123.tif 000007
【図３】
2015210123.tif 000008
【図４】
2015210123.tif 000009
【図６】
2015210123.tif 000010